(57)【要約】【課題】小型化が可能であり、しかも光ファイバ取り扱いの際の作業性にも優れた光配線箱を提供する。【解決手段】上下方向に沿う光ファイバケーブルからのケーブル側光ファイバ１０ａと分岐用光ファイバ１１との接続部１２を収容する収容ケース１５を備えた光配線箱。収容ケース１５は、接続部１２を収容するケース本体２５と、ケース本体２５の開口部２５ａを開閉自在に覆う蓋体２６とを有し、蓋体２６の内面側には、分岐用光ファイバ１１の余長１１ａを保持する余長保持体２７が設けられている。【選択図】図１
2008058713.tif 000002
【特許請求の範囲】
【請求項１】
上下方向に沿う光ファイバケーブル（１０）が導入される主配線部（１７）と、
前記光ファイバケーブルから引き出されたケーブル側光ファイバ（１０ａ）と分岐用光ファイバとの接続部（１２）を収容する収容ケース（１５）とを備え、
前記収容ケースは、前記接続部を収容するケース本体（２５）と、このケース本体の開口部（２５ａ）を開閉自在に覆う蓋体（２６）とを有し、
前記蓋体の内面側（２６ａ）には、前記分岐用光ファイバの余長（１１ａ）を保持する余長保持体（２７）が設けられていることを特徴とする光配線箱。
【請求項２】
前記余長保持体は、前記余長を挟んで保持するシート体であることを特徴とする請求項１に記載の光配線箱。
【請求項３】
前記余長保持体は、２つ折り可能なシート体であり、２つ折りにしたときに前記余長を挟んで保持できるようになっていることを特徴とする請求項１に記載の光配線箱。
【請求項４】
前記収容ケースは、長手方向が上下方向に沿うように設けられていることを特徴とする請求項１に記載の光配線箱。
【請求項５】
前記ケーブル側光ファイバは、前記収容ケースにその一端側から導入され、
前記余長保持体に保持された分岐用光ファイバは、前記収容ケースの一端側から外部に導出されることを特徴とする請求項１に記載の光配線箱。
【請求項６】
前記ケース本体には、前記接続部を保持するホルダ（２８）が設けられていることを特徴とする請求項１に記載の光配線箱。
【発明の詳細な説明】
【技術分野】
【０００１】
本発明は、光ファイバケーブルから引き出されたケーブル側光ファイバと分岐用光ファイバとの接続部を収容する光配線箱に関する。
【背景技術】
【０００２】
複数フロアを有する建築物において光ファイバを配線するには、各フロアにわたる縦穴、例えばエレベータ用昇降路に布設した幹線光ファイバケーブルを、フロアごとに設置した光配線箱で分岐して各フロアに配線することができる。
光配線箱は、幹線光ファイバケーブルから引き出されたケーブル側光ファイバと、各フロアに布設される分岐用光ファイバとの接続部を収容するようになっている（例えば、特許文献１および特許文献２を参照）。
【特許文献１】特開２００４−６１５４０号公報
【特許文献２】特開２００１−５１１３０号公報
【発明の開示】
【発明が解決しようとする課題】
【０００３】
前記光配線箱は、設置スペースが限られていることが多いため、できるだけ小型化することが望ましい。しかし、小型化するとケーブル側光ファイバと分岐用光ファイバとの接続作業などの際の作業性が低下するおそれがある。
本発明は、上記事情に鑑みてなされたものであり、小型化が可能であり、しかも光ファイバ取り扱いの際の作業性にも優れた光配線箱を提供することを課題とする。
【課題を解決するための手段】
【０００４】
本発明の光配線箱は、上下方向に沿う光ファイバケーブルが導入される主配線部と、前記光ファイバケーブルから引き出されたケーブル側光ファイバと分岐用光ファイバとの接続部を収容する収容ケースとを備え、前記収容ケースは、前記接続部を収容するケース本体と、このケース本体の開口部を開閉自在に覆う蓋体とを有し、前記蓋体の内面側には、前記分岐用光ファイバの余長を保持する余長保持体が設けられていることを特徴とする。
本発明の請求項２にかかる光配線箱は、請求項１において、前記余長保持体が、前記余長を挟んで保持するシート体であることを特徴とする。
本発明の請求項３にかかる光配線箱は、請求項１において、前記余長保持体が、２つ折り可能なシート体であり、２つ折りにしたときに前記余長を挟んで保持できるようになっている。
本発明の請求項４にかかる光配線箱は、請求項１において、前記収容ケースが、長手方向が上下方向に沿うように設けられていることを特徴とする。
本発明の請求項５にかかる光配線箱は、請求項１において、前記ケーブル側光ファイバが、前記収容ケースにその一端側から導入され、前記余長保持体に保持された分岐用光ファイバが、前記収容ケースの一端側から外部に導出されることを特徴とする。
本発明の請求項６にかかる光配線箱は、請求項１において、前記ケース本体には、前記接続部を保持するホルダが設けられていることを特徴とする。
【発明の効果】
【０００５】
本発明の光配線箱は、蓋体に余長保持体が設けられているので、蓋体を開放した状態では、接続部を含む部分の光ファイバと、余長とを、それぞれケース本体側と蓋体側に明確に区分けすることができる。このため、光ファイバ接続作業などに際して、光ファイバの取り扱いが容易になる。
また、収容ケース内に接続部と余長とを収容できるため、余長収納のための専用ケースを別途設ける必要がなく、小型化が可能となる。したがって、設置のためのスペースが小さい場合にも対応できる。
【発明を実施するための最良の形態】
【０００６】
以下、本発明を実施するための最良の形態について、図面を参照して説明する。
図３は、本発明の一形態例である光配線箱の内部構造を示す側断面図である。図４は、図３に示す光配線箱の内部構造を背面側から見た断面図である。図１は、図３に示す光配線箱に用いられる収容ケースを示す正面図である。図２は、図１に示す収容ケースの蓋体および余長保持体を模式的に示す斜視図である。図５は、図４に示す光配線箱を示すＡ−Ａ断面矢視図である。図６は、図４に示す光配線箱を示すＢ−Ｂ断面矢視図である。図７は、図４に示す光配線箱を示すＣ−Ｃ断面矢視図である。図８は、図４に示す光配線箱を示すＤ−Ｄ断面矢視図である。
なお、以下の説明において、図１〜図４における上方を「上」といい、下方を「下」という。
【０００７】
本形態例の光配線箱１は、ケース状の外装体２と、外装体２内に設けられた内部ユニット３とを備えている。
外装体２は、略矩形状の端板５と、その周縁から上方に延びる側板６と、その上端に設けられた略矩形状の端板７とを備えた直方体状に形成されている。
図示例では、側板６は、細長形状、すなわち幅（図３および図４における左右方向の幅）よりも長さ（図３および図４における上下方向の長さ）が大きくなるよう形成されている。
端板５、７には、光ファイバケーブル１０が挿通するケーブル挿通孔５ａ、７ａが形成され、ケーブル挿通孔５ａ、７ａには、パッキン８、８が設けられている。
端板５には、分岐用光ファイバ１１が挿通する分岐用光ファイバ挿通孔５ｂが形成されている。
光ファイバケーブル１０が上下方向に沿って布設されているため、外装体２は上下方向に沿って設けられている。
【０００８】
内部ユニット３は、外装体２の長手方向に沿って設けられた連結板１３と、連結板１３の両端に設けられたケーブル把持具１４、１４と、収容ケース１５と、分岐用光ファイバ保持具１６とを備えている。
図３に示すように、連結板１３は、一方および他方の面側に十分な空間が確保されている。
連結板１３の一方の面１３ａと、これに対向する側板６（図３における符号６ａ）との間は、光ファイバケーブル１０が導入される主配線部１７とされている。連結板１３の他方の面１３ｂと、これに対向する側板６（図３における符号６ｂ）との間は、分岐用光ファイバ１１が配線される分岐配線部１８とされている。
【０００９】
図３〜図５に示すように、ケーブル把持具１４は、光ファイバケーブル１０の両側に延びるアーム部２１、２１と、アーム部２１から内方に延びる把持部２２と、把持部２２の先端に設けられた固定具２３とを備えている。
ケーブル把持具１４は、固定具２３によって光ファイバケーブル１０を両側から挟みこんで主配線部１７に保持できるようになっている。
【００１０】
図３、図４、図７、図８に示すように、分岐用光ファイバ保持具１６は、連結板１３の下部に、連結板１３の長さ方向に間隔をおいて取り付けられた第１および第２の保持具１９、２０を備えている。
第１保持具１９は、支持部１９ａと、支持部１９ａに取り付けられたホルダ１９ｂとを備えており、分岐用光ファイバ１１をホルダ１９ｂに保持することができるようになっている。
第２保持具２０は、支持部２０ａと、支持部２０ａに取り付けられたホルダ２０ｂとを備えており、分岐用光ファイバ１１をホルダ２０ｂに保持することができるようになっている。
【００１１】
分岐配線部１８には、収容ケース１５が設けられている。
図１に示すように、収容ケース１５は、ケース本体２５と、ケース本体２５の開口部２５ａを開閉自在に覆う蓋体２６と、蓋体２６の内面２６ａ側（ケース本体２５側）に設けられた余長保持体２７を備えている。
ケース本体２５は、略矩形状の底板３１と、その周縁に立設された側板３２とを備えたトレイ状に形成されている。ケース本体２５内には、ケーブル側光ファイバ１０ａと分岐用光ファイバ１１との接続部１２を収容できる。
【００１２】
底板３１は、細長形状、すなわち幅（図１における左右方向の幅）よりも長さ（図１における上下方向の長さ）が大きくなるよう形成されている。
底板３１の下部には、ケーブル側光ファイバ１０ａを保持するケーブル側光ファイバ導入部３３が設けられている。底板３１の上部には、分岐用光ファイバ１１を保持する分岐用光ファイバ保持部３４が設けられている。
【００１３】
底板３１には、接続部１２を保持するホルダ２８が設けられている。図１に示す例では、ホルダ２８は、保持片２８ａによって接続部１２を挟み込むことによって接続部１２を保持する。ホルダ２８は、上下に多段に設けられている。
なお、接続部１２は、ケーブル側光ファイバ１０ａと分岐用光ファイバ１１との光接続状態を維持できるものであればよく、融着接続、メカニカルスプライス、コネクタ接続などが例示できる。
【００１４】
蓋体２６は、平板状に形成され、底板３１と同様の細長形状とされている。
蓋体２６は、一方の側縁部２６ｂに設けられたヒンジ部３６を介して、ケース本体２５の側板３２の縁部３２ａに連結されており、ヒンジ部３６を支点としてケース本体２５に対し回動することによって、ケース本体２５の開口部２５ａを開閉できる。
蓋体２６の下部の内面２６ａには、分岐用光ファイバ１１が導入される分岐用光ファイバ導入部３５が設けられている。
収容ケース１５は、長手方向を上下方向に向けて設けられている。光ファイバケーブル１０が上下方向に沿って布設されているため、収容ケース１５を上下方向に沿って設けることによって、配線に必要なスペースを小さくすることができ、省スペース化を図ることができる。
【００１５】
余長保持体２７は、分岐用光ファイバ１１の余長１１ａを蓋体２６側に保持するものであって、余長１１ａを挟んで保持するシート体で構成することができる。
余長保持体２７としては、例えばポリエチレン、ポリプロピレン、ポリエチレンテレフタレート（ＰＥＴ）などの合成樹脂からなるシート体が好適である。余長保持体２７は可撓性を有するシート体であることが好ましい。また、余長保持体２７は、透明であると、保持された余長１１ａを確認できるため好ましい。
余長保持体２７をシート体とすることによって、薄型化し省スペース化を図ることができる。また、安価である点も有利である。
【００１６】
図１および図２に示す例では、余長保持体２７は、２つ折り可能なシート体であり、２つ折りにしたときに、その間に余長１１ａを所定の長さ範囲にわたって挟み込むことができるようになっている。
具体的には、余長保持体２７は、蓋体２６の内面２６ａに取り付けられたシート状の基部２９と、基部２９の一方の側縁２９ａを折り目として基部２９に対し回動可能なシート状のカバー部３０とを有し、基部２９とカバー部３０との間に余長１１ａを挟みこむことができる。
【００１７】
図２に示すように、余長保持体２７は、基部２９とカバー部３０の開放側の側縁２９ｃ、３０ｂが、折り目側の側縁２９ａに比べて、蓋体２６のヒンジ側（側縁部２６ｂ側）に位置するように設けるのが好ましい。
これによって、余長保持体２７の折り目（側縁２９ａ）を蓋体２６の開放側（側縁部２６ｃ側）に位置させることができる。よって、余長１１ａが余長保持体２７から外れてケース本体２５と蓋体２６の間からケース外に脱落するのを防ぐことができる。
【００１８】
余長保持体２７は、カバー部３０と基部２９とを重ね合わせた状態でその姿勢を維持できるようにするのが好ましい。例えば、基部２９の開放側の側縁２９ｃに係止部を形成し、カバー部３０の開放側の側縁３０ｂに、前記係止部が係止する被係止部を形成することができる。
図２に示す例では、基部２９の側縁２９ｃ付近に形成された係止片２９ｂ（係止部）が、カバー部３０の側縁３０ｂ付近に形成された係止穴３０ａ（被係止部）に挿通し係止することによって、カバー部３０が基部２９に重ねあわされた状態が維持される。
なお、図示例では、余長保持体２７は、余長１１ａを保持する２つ折り可能なシート体であるが、余長保持体は、余長を蓋体側に保持することができればよく、その構成は図示例に限定されない。例えば、蓋体との間に余長を保持する１枚のシート体または板体、余長を収納する袋体、金属板からなるクリップなどを採用できる。
【００１９】
以下、光配線箱１を用いた光ファイバ配線の一例を示す。
光ファイバケーブル１０は、例えば、複数フロアを有する建築物において各フロアににわたる縦穴（例えばエレベータ用昇降路）に布設される幹線光ファイバケーブルであり、上下方向（例えば鉛直方向）に沿って布設されている。
光配線箱１は、前記縦穴内において、分岐用光ファイバ１１を布設するべきフロアごとに相当する位置に設置することができる。
【００２０】
図９は、光配線箱１を用いた光ファイバ配線の一例を示す模式図である。符号４５は、４つのフロア４１〜４４を有する建築物である。光ファイバケーブル１０は、光配線盤４７（例えばＭＤＦ(Main Distribution Frame））から、上下方向に沿うエレベータ用昇降路４６内に布設されている。
エレベータ用昇降路４６内の、フロア４２〜４４に相当する位置には、それぞれ光配線箱１が設けられ、これら光配線箱１で分岐された分岐用光ファイバ１１が各フロア４２〜４４に布設される。
【００２１】
図３に示すように、光ファイバケーブル１０は、外装体２のケーブル挿通孔５ａから光配線箱１の主配線部１７に引き込まれ、上方に延びてケーブル挿通孔７ａから外装体２外に至る。
光ファイバケーブル１０は、外装体２内で外皮を除去され、ケーブル側光ファイバ１０ａの一部は引き出されて分岐配線部１８に導入される。
図１に示すように、分岐配線部１８に導入されたケーブル側光ファイバ１０ａは、収容ケース１５の下端部（一端部）の導入穴１５ａを通して収容ケース１５内に導入され、ケーブル側光ファイバ導入部３３に保持される。
【００２２】
図１に示すように、ケーブル側光ファイバ１０ａは、接続部１２において分岐用光ファイバ１１と接続されている。接続部１２はホルダ２８に保持される。
分岐用光ファイバ１１は、ホルダ２８から上方に延び、ケース本体２５上部の分岐用光ファイバ導入部３４に保持される。
分岐用光ファイバ１１は、ケース上部で湾曲してその方向を変えて下方に延び、余長保持体２７の基部２９とカバー部３０の間に挟まれて保持されている。
分岐用光ファイバ１１は、基部２９とカバー部３０との間に、その上端から下端にかけて配線される。分岐用光ファイバ１１は、さらに下方に延び、蓋体２６下部の分岐用光ファイバ導入部３５を経て、収容ケース１５の下端部（一端部）の導入穴１５ａから収容ケース１５外に導出される。
収容ケース１５の上部から余長保持体２７を経て下部に至る部分の分岐用光ファイバ１１を余長１１ａという。余長１１ａは光特性に影響が及ばない範囲で湾曲処理してもよい。
【００２３】
図１に示すように、収容ケース１５には、ケーブル側光ファイバ１０ａが下端部の導入穴１５ａから導入され、分岐用光ファイバ１１が導入穴１５ａから外部に導出される。
このため、収容ケース１５内に十分な長さの余長１１ａを確保するとともに、分岐用光ファイバ１１を各フロアの床に設置するのが容易となる。
【００２４】
ケーブル側光ファイバ１０ａおよび分岐用光ファイバ１１としては、特に限定されるものではないが、例えば、単心のドロップケーブルやインドアケーブルなどが採用できる。
【００２５】
本形態例の光配線箱１は、蓋体２６に余長保持体２７が設けられているので、余長１１ａが蓋体２６側に保持される。蓋体２６を開放した状態（図１に示す状態）では、接続部１２を含む部分の光ファイバ１０ａ、１１と、余長１１ａとを、それぞれケース本体２５側と蓋体２６側に明確に区分けすることができるため、光ファイバ接続作業などに際して、光ファイバ１０ａ、１１の取り扱いが容易になる。
また、収容ケース１５内に接続部１２と余長１１ａとを収容できるため、余長収納のための専用ケースを別途設ける必要がなく、小型化が可能となる。したがって、設置のためのスペースが小さい場合にも対応できる。
【００２６】
光ファイバケーブル１０は上下方向に沿って布設されているため、省スペース化を考慮すると、光ファイバ１０ａ、１１も主に上下方向に配線される。このため、光ファイバ１０ａ、１１は、水平方向に布設する場合に比べてその位置が安定しにくいが、光配線箱１では、余長保持体２７によって光ファイバ１０ａ、１１を安定に位置決めすることができる。したがって、光ファイバ取り扱いの際の作業性の点で優れている。
【００２７】
本発明は上述の実施の形態に限定されるものではなく、本発明の要旨を逸脱しない範囲で種々の改変が可能である。光配線箱の具体的な構造、形状などは、本発明の思想を具現できるものである限り、何ら限定されるものではない。
【産業上の利用可能性】
【００２８】
本発明は、光ファイバを用いた光伝送線路において、例えば光ファイバネットワークを構築するために利用することができる。
【図面の簡単な説明】
【００２９】
【図１】本発明の一形態例である光配線箱に用いられる収容ケースを示す正面図である。
【図２】図１に示す収容ケースの蓋体および余長保持体を模式的に示す斜視図である。
【図３】本発明の一形態例である光配線箱の内部構造を示す側断面図である。
【図４】図３に示す光配線箱の内部構造を背面側から見た断面図である。
【図５】図４に示す光配線箱を示すＡ−Ａ断面矢視図である。
【図６】図４に示す光配線箱を示すＢ−Ｂ断面矢視図である。
【図７】図４に示す光配線箱を示すＣ−Ｃ断面矢視図である。
【図８】図４に示す光配線箱を示すＤ−Ｄ断面矢視図である。
【図９】本発明の一形態例である光配線箱を用いた光ファイバ配線の一例を示す模式図である。
【符号の説明】
【００３０】
１…光配線箱、１０…光ファイバケーブル、１１…分岐用光ファイバ、１１ａ…余長、１２…接続部、１７…主配線部、１８…分岐配線部、２５…ケース本体、２５ａ…開口部、２６…蓋体、２７…余長保持体、２８…ホルダ。
【図１】
2008058713.tif 000003
【図２】
2008058713.tif 000004
【図３】
2008058713.tif 000005
【図４】
2008058713.tif 000006
【図５】
2008058713.tif 000007
【図６】
2008058713.tif 000008
【図７】
2008058713.tif 000009
【図８】
2008058713.tif 000010
【図９】
2008058713.tif 000011